(57)【要約】【課題】オスコネクタ接続部からのオスコネクタ抜去時における医療器具接続部での流体の引き込みの発生を抑制又は防止できる簡素な構成の医療用コネクタを提供する。【解決手段】本発明の医療用コネクタは、第１の弾性弁体が、閉塞部に連なりオスコネクタ接続部に固定される固定部を有し、前記オスコネクタ接続部の開口へのオスコネクタの挿入にて、該オスコネクタにより、前記第１の弾性弁体の閉塞部が前記流路側に押し込まれつつ、該閉塞部の前記第１スリットが開かれると共に、前記オスコネクタに第２の弾性弁体が直接又は前記閉塞部のみを介して押されて、該第２の弾性弁体の第２スリットが開かれる。【選択図】図１
2015188663.tif 000002
【特許請求の範囲】
【請求項１】
オスコネクタ接続部、医療器具接続部及び該両接続部の開口間に形成された流路を有するハウジングと、前記オスコネクタ接続部の開口を閉塞する閉塞部に第１スリットを有する第１の弾性弁体と、を備える医療用コネクタにおいて、
第２スリットを有し前記流路を閉塞する第２の弾性弁体を備え、
前記第１の弾性弁体は、前記閉塞部に連なり前記オスコネクタ接続部に固定される固定部を有し、
前記オスコネクタ接続部の開口へのオスコネクタの挿入にて、該オスコネクタにより、前記第１の弾性弁体の閉塞部が前記流路側に押し込まれつつ、該閉塞部の前記第１スリットが開かれると共に、前記オスコネクタに前記第２の弾性弁体が直接又は前記閉塞部のみを介して押されて、該第２の弾性弁体の第２スリットが開かれることを特徴とする医療用コネクタ。
【請求項２】
前記第２の弾性弁体は、一端が前記ハウジングに固定された筒状壁部と、該筒状壁部の他端を閉塞すると共に前記第２スリットが形成された天壁部とを有し、
前記ハウジングは、前記天壁部に向かって前記流路側から突き出す環状突起を有し、
前記天壁部は、前記オスコネクタ接続部の開口への前記オスコネクタの挿入にて、前記環状突起の径方向外側において、前記オスコネクタに直接又は前記閉塞部のみを介して押される、請求項１に記載の医療用コネクタ。
【発明の詳細な説明】
【技術分野】
【０００１】
本発明は、オスコネクタ接続部、医療器具接続部及び該両接続部の開口間に形成された流路を有するハウジングと、オスコネクタ接続部の開口を閉塞する閉塞部にスリットを有する弾性弁体と、を備える医療用コネクタに関し、特に、オスコネクタ接続部からのオスコネクタ抜去時における医療器具接続部での流体の引き込みの発生を抑制又は防止し、しかも、構成を簡素化しようとするものである。
【背景技術】
【０００２】
従来、例えば医療用の各種機器や輸液容器、送液器具などで用いられ、医療器具の管体を接続するための医療用コネクタとして、ハウジングに、オスコネクタ接続部、医療器具接続部及び該両接続部の開口間に形成された流路を設けたものが知られている。
【０００３】
このような医療用コネクタにおいて、オスコネクタ接続部は、該接続部の開口にオスコネクタをある程度の深さまで挿入した状態で、オスコネクタを保持するように構成されている。また、オスコネクタ接続部の開口は、弁体により、オスコネクタの挿入に伴って開放される一方、オスコネクタの抜去に伴って閉塞されるように構成されている。さらに、前記弁体は、オスコネクタの抜去時にオスコネクタの流路内から漏出し、該弁体の表面に残される流体を容易に拭き取れるように構成されている。
【０００４】
このため、例えば、特許文献１に記載される医療用コネクタでは、オスコネクタ接続部に弾性弁体を設けている。該弾性弁体は、オスコネクタ接続部に固定される固定部と、該固定部に連なり前記開口を閉塞する閉塞部と、を有し、該閉塞部にはスリットが形成されている。そして、オスコネクタ接続部の開口へのオスコネクタの挿入にて、該オスコネクタにより、弾性弁体の閉塞部がハウジングの流路側に押し込まれつつ、該閉塞部のスリットが開かれるようになっている。
【０００５】
また、特許文献２に記載される医療用コネクタでは、オスコネクタ接続部内に、流路を有するスライダを設け、オスコネクタ接続部の開口へのオスコネクタの挿入にて、該オスコネクタでスライダを押し込み、該スライダの先端部で弾性弁体をハウジング内の流路内に押し込み、該弾性弁体のスリットを開くことで、オスコネクタ接続部内に挿入されたオスコネクタ内の流路を、スライダ内の流路を介して、ハウジング内の流路に連通させるように構成している。
【０００６】
スライダの後端には、他の弾性弁体が取り付けられており、該他の弾性弁体は、オスコネクタ挿入時にオスコネクタに押されてスリットが開き、流路を開放するが、オスコネクタの抜去時にはスリットが閉塞するようになっている。スライダは、オスコネクタ接続部の開口からのオスコネクタの抜去にて、元の位置に戻り、前述した他の弾性弁体が、オスコネクタ接続部の開口に位置するため、オスコネクタの抜去時にオスコネクタの流路内から漏出し、該他の弾性弁体の表面に残される流体を容易に拭き取ることができる。
【０００７】
このように、特許文献１や特許文献２に記載されるものでは、オスコネクタ接続部の開口に対するオスコネクタの挿入、抜去に応じて前記開口が弁体によって開閉されると共に、オスコネクタ抜去時に弁体の表面に残留する流体を容易に拭き取れるようになっている。
【先行技術文献】
【特許文献】
【０００８】
【特許文献１】国際公開第２０１０／０７３６４３（Ａ１）号パンフレット
【特許文献２】特開２００４−４６３号公報
【発明の概要】
【発明が解決しようとする課題】
【０００９】
しかしながら、特許文献１に記載されるような医療用コネクタでは、オスコネクタ挿入時に、オスコネクタ及び弾性弁体がハウジングの流路内に深く侵入し、該流路の容積を大きく減少させることになるため、オスコネクタ抜去時には、逆にその分だけ流路容積が増大し、該増大分に応じた負圧がハウジングの流路内に生じ、医療器具接続部での流体の引き込みを生じてしまうおそれがあった。
【００１０】
オスコネクタ抜去時に医療器具接続部から流体がハウジング内に引き込まれてしまうと、例えば、医療用コネクタを血管中に留置されたカテーテルに接続して使用する場合に、以下のような問題を生じるおそれがある。すなわち、医療用コネクタのオスコネクタ接続部にオスコネクタを接続し、該オスコネクタを介して血液抗凝固剤を注入した後、オスコネクタを抜去する際に、カテーテルが接続された医療器具接続部からの流体の引き込みにより、カテーテル内に血液が引き込まれ、カテーテル内で血液が凝固して、カテーテルが詰まり、使用不能となってしまう。
【００１１】
また、特許文献２に記載されるような医療用コネクタでは、オスコネクタ挿入時に、オスコネクタの挿入分だけスライダがハウジングの流路側に挿入されることになるが、スライダの先端部を小径化しておけば、ハウジングの流路内に侵入するスライダ及び弾性弁体の容積を比較的小さくできると考えられる。したがって、前述したオスコネクタの抜去時における医療器具接続部での流体の引き込みの発生を抑制することができる。しかしながら、スライダを設けるため構成が複雑化しまうという欠点があった。
【００１２】
本発明は、前記の現状に鑑み開発されたもので、オスコネクタ接続部からのオスコネクタ抜去時における医療器具接続部での流体の引き込みの発生を抑制又は防止できる簡素な構成の医療用コネクタを提供することを目的とする。
【課題を解決するための手段】
【００１３】
本発明の医療用コネクタは、オスコネクタ接続部、医療器具接続部及び該両接続部の開口間に形成された流路を有するハウジングと、前記オスコネクタ接続部の開口を閉塞する閉塞部に第１スリットを有する第１の弾性弁体と、を備える医療用コネクタにおいて、第２スリットを有し前記流路を閉塞する第２の弾性弁体を備え、前記第１の弾性弁体は、前記閉塞部に連なり前記オスコネクタ接続部に固定される固定部を有し、前記オスコネクタ接続部の開口へのオスコネクタの挿入にて、該オスコネクタにより、前記第１の弾性弁体の閉塞部が前記流路側に押し込まれつつ、該閉塞部の前記第１スリットが開かれると共に、前記オスコネクタに前記第２の弾性弁体が直接又は前記閉塞部のみを介して押されて、該第２の弾性弁体の第２スリットが開かれることを特徴とする。
【００１４】
ここで、本発明の医療用コネクタは、前記第２の弾性弁体は、一端が前記ハウジングに固定された筒状壁部と、該筒状壁部の他端を閉塞すると共に前記第２スリットが形成された天壁部とを有し、前記ハウジングは、前記天壁部に向かって前記流路側から突き出す環状突起を有し、前記天壁部は、前記オスコネクタ接続部の開口への前記オスコネクタの挿入にて、前記環状突起の径方向外側において、前記オスコネクタに直接又は前記閉塞部のみを介して押されることが好ましい。
【発明の効果】
【００１５】
本発明によれば、オスコネクタ接続部の開口を閉塞する閉塞部に第１スリットを有する第１の弾性弁体を設けたことによって、オスコネクタ接続部の開口に対するオスコネクタの挿入、抜去に応じて前記開口を第１の弾性弁体によって開閉すると共に、オスコネクタ抜去時に第１の弾性弁体の表面に残留する流体の拭き取りを容易化できる。
【００１６】
しかも、本発明によれば、ハウジングの流路を第２の弾性弁体によって閉塞しているため、オスコネクタ接続部へのオスコネクタの挿入時に、第２の弾性弁体の第２スリットが開くまでは、オスコネクタ接続部の開口内に挿入されたオスコネクタ、及び該オスコネクタによって流路側に押し込まれた第１の弾性弁体の閉塞部が、ハウジングの流路内、すなわち、第２の弾性弁体と医療器具接続部の開口とを繋ぐ流路内に侵入することはない。したがって、従来のようにオスコネクタ接続部のみに弁体を設ける場合、すなわち、該弁体と医療器具接続部の開口とを繋ぐ空間をハウジングの流路とする場合に比べて、ハウジングの流路を開放する際の流路容積の減少を抑制又は防止することができる。したがって、オスコネクタ接続部からのオスコネクタ抜去時における医療器具接続部での流体の引き込みの発生を抑制又は防止することができる。
【００１７】
また、本発明によれば、第１の弾性弁体は、固定部によってオスコネクタ接続部に固定されており、オスコネクタ接続部の開口へのオスコネクタの挿入時に、第１の弾性弁体の閉塞部をハウジングの流路側に押し込んだオスコネクタによって、直接又は前記閉塞部のみを介して、第２の弾性弁体を押し、該第２の弾性弁体の第２スリットを開くようにしているので、従来のようにスライダを設ける場合に比べて、構成を簡素化することができる。
【００１８】
したがって、本発明によれば、オスコネクタ接続部からのオスコネクタ抜去時における医療器具接続部での流体の引き込みの発生を抑制又は防止できる簡素な構成の医療用コネクタを提供することができる。
【図面の簡単な説明】
【００１９】
【図１】本発明の一実施形態に係る医療用コネクタを示す縦断面図であり、オスコネクタ抜去時の状態を示す。
【図２】図１の医療用コネクタの斜視図である。
【図３】図１の医療用コネクタの第２の弾性弁体を取り付けたホルダの斜視図である。
【図４】図１の医療用コネクタのホルダの斜視図である。
【図５】図１の医療用コネクタを示す縦断面図であり、オスコネクタ挿入時の状態を示す。
【発明を実施するための形態】
【００２０】
以下、図１〜図５を参照して、本発明の一実施形態に係る医療用コネクタ１について詳細に例示説明する。
なお、本明細書において、上下方向とは、医療用コネクタ１の軸線Ｏに沿う方向を意味し、上方はオスコネクタ接続部２１が配置される側（すなわち、図１における上方）を意味し、下方は医療器具接続部７３が配置される側（すなわち、図１における下方）を意味するものとする。
【００２１】
図１〜図４に示すように、医療用コネクタ１は、ハウジング２０と、第１の弾性弁体３０と、第２の弾性弁体４０とを備える。ハウジング２０は、本実施形態では、キャップ５０と、内挿体６０と、ホルダ７０とを備えている。
【００２２】
キャップ５０は、中央に円形の開口５１ａを有する天面リング部５１と、天面リング部５１の外周縁部から垂設される円筒状の周壁部５２とを有する。周壁部５２の外周面には、本例では、ルアーロックタイプのオスコネクタを接続するための２条ねじが形成されている。なお、当該２条ねじは省略することも可能である。周壁部５２の下端には、外向きフランジ部５３が連設されている。外向きフランジ部５３の外周縁には、キャップ５０の軸線Ｏを挟んで対向する２箇所に一対の位置決め片５４が連設されている。
【００２３】
第１の弾性弁体３０は、キャップ５０の開口５１ａを閉塞する軸線Ｏを中心とする略円板形状の閉塞部３１と、該閉塞部３１の外周縁に連なる環状の固定部３２とを有する。閉塞部３１の中央部には、本例では、一文字形状のスリット３３（第１スリット）が形成されている。なお、スリット３３は、一文字形状に代えて、例えば、十文字形状としてもよい。
【００２４】
固定部３２の上面には、天面側環状溝３２ａが形成されている。該天面側環状溝３２ａは、キャップ５０の天面リング部５１の底面に形成された環状突起５１ｂに液密に嵌合している。また、固定部３２の底面には、底面側環状溝３２ｂが形成されている。
【００２５】
内挿体６０は、軸線Ｏを中心として周設された筒体部６１を有する。筒体部６１の上端には、環状突起６１ａが形成されており、該環状突起６１ａは、第１の弾性弁体３０の固定部３２の底面側環状溝３２ｂに液密に嵌合している。筒体部６１の下端には、径方向外側に延びる環状底面部６２が連設されている。環状底面部６２の上面には、環状の嵌合溝６２ａが形成されており、該嵌合溝６２ａには、キャップ５０の外向きフランジ部５３の底面に形成された環状の嵌合凸部５３ａが嵌合している。
【００２６】
ホルダ７０の上面外周縁には、図２に示したように、キャップ５０の外向きフランジ部５３の外周縁、及び内挿体６０の環状底面部６２の外周縁を取り囲む外周壁部７１が立設されている。該外周壁部７１には、キャップ５０の一対の位置決め片５４が嵌合する一対の嵌合凹部７１ａが形成されている。また、ホルダ７０の上面における外周壁部７１の内周側には、環状の嵌合溝７２が形成されており、該嵌合溝７２には、内挿体６０の環状底面部６２の底面に形成された環状の嵌合凸部６２ｂが嵌合している。
【００２７】
また、ホルダ７０には、医療器具接続部７３が設けられている。医療器具接続部７３は、本例では、軸線Ｏに沿って筒体７３ａが延びるルアーロックタイプのオスコネクタとして構成されている。なお、本例では、医療用コネクタ１は、医療器具接続部７３として１つのオスコネクタを有する混注プラグとして構成されているが、これに代えて、例えば、さらなる接続部を有するＴ型混注ポートや、３方活栓として構成することもできる。ホルダ７０の医療器具接続部７３の筒体７３ａの開口７３ｂと、ホルダ７０の上面との間には、軸線Ｏに沿って延びる流路７４が形成されている。
【００２８】
ホルダ７０の上面には、第２の弾性弁体４０が、流路７４を閉塞するように取り付けられている。第２の弾性弁体４０は、一端（下端）がホルダ７０の上面に固定された軸線Ｏを中心とする円筒状の筒状壁部４１と、該筒状壁部４１の他端（上端）を閉塞すると共にスリット４２（第２スリット）が中央に形成された円板状の天壁部４３とを有する。
【００２９】
筒状壁部４１の下端は、例えば、接着剤によってホルダ７０の上面に固定されている。筒状壁部４１の外周面及び内周面の少なくとも一方には、少なくとも１つの環状の切り欠き４１ａを周設することが好ましく、本例では、筒状壁部４１の外周面及び内周面に、それぞれ、２つずつ環状の切り欠き４１ａを周設している。天壁部４３のスリット４２は、本例では、一文字形状をなしているが、例えば、十文字形状など、他の形状とすることもできる。
【００３０】
ホルダ７０の上面には、第２の弾性弁体４０の天壁部４３に向かって流路７４側から突き出す環状突起７５が形成されている。環状突起７５は、下方から上方に向かって縮径するテーパ筒状に形成されている。
【００３１】
キャップ５０、内挿体６０及びホルダ７０は、互いに、例えば溶接又は接着などによって固定されている。また、キャップ５０、内挿体６０及びホルダ７０を合成樹脂製とする場合には、例えば熱溶着などを用いて固定してもよい。なお、弁体３０の素材としては、例えば、ゴム材料や熱可塑性エラストマなどを用いることが好ましい。
【００３２】
このようにして構成される本例の医療用コネクタ１では、キャップ５０の天面リング部５１及び周壁部５２、並びに内挿体６０の筒体部６１によって、ハウジング２０のオスコネクタ接続部２１が構成されている。そして、第１の弾性弁体３０の閉塞部３１によってオスコネクタ接続部２１の開口５１ａが閉塞され、第１の弾性弁体３０の固定部３２がオスコネクタ接続部２１に固定されている。また、オスコネクタ接続部２１の開口５１ａと医療器具接続部７３の開口７３ｂとの間に形成されたハウジング２０の流路７４は、第２の弾性弁体４０によって閉塞されている。
【００３３】
かかる構成によれば、図５に示すように、オスコネクタ接続部２１へのオスコネクタＣの接続に際しては、オスコネクタ接続部２１の開口５１ａへのオスコネクタＣの挿入にて、該オスコネクタＣにより、第１の弾性弁体３０の閉塞部３１を流路７４側に押し込みつつ、該閉塞部３１のスリット３３を開くと共に、オスコネクタＣによって第２の弾性弁体４０を、前記閉塞部３１のみを介して押し、該第２の弾性弁体４０のスリット４２を開くことができる。
【００３４】
ここに、本例では、第１の弾性弁体３０の閉塞部３１の厚み（上下幅）や、スリット３３の形態を変更することで、オスコネクタＣの挿入時に、オスコネクタＣの先端が閉塞部３１のスリット３３を貫通し、オスコネクタＣが直接、第２の弾性弁体４０を押し、該第２の弾性弁体４０のスリット４２を開くようにすることもできる。
【００３５】
このように、本例では、ハウジング２０の流路７４を第２の弾性弁体４０によって閉塞しているため、オスコネクタ接続部２１へのオスコネクタＣの挿入時に、第２の弾性弁体４０のスリット４２が開くまでは、オスコネクタ接続部２１の開口５１ａ内に挿入されたオスコネクタＣ、及び該オスコネクタＣによって流路７４側に押し込まれた第１の弾性弁体３０の閉塞部３１が、ハウジング２０の流路７４内、すなわち、第２の弾性弁体４０と医療器具接続部７３の開口７３ｂとを繋ぐ流路７４内に侵入することはない。したがって、従来のようにオスコネクタ接続部２１のみに弁体を設ける場合、すなわち、該弁体と医療器具接続部の開口とを繋ぐ空間をハウジングの流路とする場合に比べて、ハウジング２０の流路７４を開放する際の流路容積の減少を抑制又は防止することができる。したがって、オスコネクタ接続部２１からのオスコネクタＣ抜去時における医療器具接続部７３での流体の引き込みの発生を抑制又は防止することができる。
【００３６】
なお、本例において説明した、筒状壁部４１及び天壁部４３を有する第２の弾性弁体４０に代えて、例えば、挿入されたオスコネクタＣによって流路７４内に押し込まれつつ、スリットが開く閉塞部を有する弾性弁体を用いた場合でも、従来のようにオスコネクタ接続部２１のみに弁体を設ける場合に比べれば、流路７４を開放する際の流路容積の減少を抑制し、もって、オスコネクタＣ抜去時における医療器具接続部７３での流体の引き込みの発生を抑制することができる。
【００３７】
また、本例では、第１の弾性弁体３０は、固定部３２によってオスコネクタ接続部２１に固定されており、オスコネクタ接続部２１の開口５１ａへのオスコネクタＣの挿入時に、第１の弾性弁体３０の閉塞部３１をハウジング２０の流路７４側に押し込んだオスコネクタＣによって、直接又は前記閉塞部３１のみを介して、第２の弾性弁体４０を押し、該第２の弾性弁体４０のスリット４２を開くようにしているので、従来のようにスライダを設ける場合に比べて、構成を簡素化することができる。
【００３８】
なお、本例によれば、オスコネクタ接続部２１の開口５１ａを閉塞する閉塞部３１にスリット３３を有する第１の弾性弁体３０を設けたことによって、オスコネクタ接続部２１の開口５１ａに対するオスコネクタＣの挿入、抜去に応じて前記開口５１ａを第１の弾性弁体３０によって開閉すると共に、オスコネクタＣ抜去時に第１の弾性弁体３０の表面に残留する流体の拭き取りを容易化できる。
【００３９】
また、本例では、図５に示したように、オスコネクタ接続部２１の開口５１ａへのオスコネクタＣの挿入にて、第２の弾性弁体４０の天壁部４３が、ハウジング２０の環状突起７５の径方向外側において、オスコネクタＣに直接又は前記閉塞部３１のみを介して押されるように構成している。したがって、環状突起７５の上端によって天壁部４３の流路７４側への侵入を抑制又は防止しつつ、オスコネクタＣによる押圧に伴って天壁部４３のスリット４２を開くことができる。したがって、前述したように、第２の弾性弁体４０に代えて、挿入されたオスコネクタＣによって流路７４内に押し込まれつつ、スリットが開く閉塞部を有する弾性弁体を用いる場合に比べると、流路７４を開放する際の流路容積の減少をより抑制し、又は防止することができ、オスコネクタＣ抜去時における医療器具接続部７３での流体の引き込みの発生をより抑制し、又は防止することができる。
【００４０】
なお、第２の弾性弁体４０の天壁部４３と、ハウジング２０の環状突起７５との上下方向の間隔ｇ（前掲図１参照）、環状突起７５の厚み及び径寸法等を調整することにより、オスコネクタＣの抜去時における医療器具接続部７３での流体の引き込み量を調節することができる。
【００４１】
引き込み量は、極力小さくなるように調節することが好ましい。すなわち、オスコネクタＣの抜去時における医療器具接続部７３での流体の引き込み量は、好ましくは、−０．０５ｍｌ（すなわち、０．０５ｍｌの引き込み）〜０ｍｌとし、より好ましくは、−０．０１ｍｌ（すなわち、０．０１ｍｌの引き込み）〜０ｍｌに調節する。
【００４２】
上述したところは、本発明の一実施形態を示したにすぎず、特許請求の範囲において、種々の変更を加えることができる。例えば、図５では、オスコネクタＣは、オスコネクタ接続部２１の開口５１ａに嵌合した状態でオスコネクタ接続部２１に保持されているが、必ずしもこのような構成に限定されるものではなく、例えば、オスコネクタＣと開口５１ａとは接触せず、オスコネクタＣによって押し込まれた第１の弾性弁体３０の閉塞部３１の弾性力によって、オスコネクタＣがオスコネクタ接続部２１に保持されるようにしてもよい。
【符号の説明】
【００４３】
１  医療用コネクタ
２０  ハウジング
２１  オスコネクタ接続部
３０  第１の弾性弁体
３１  閉塞部
３２  固定部
３２ａ  天面側環状溝
３２ｂ  底面側環状溝
３３  第１の弾性弁体のスリット（第１スリット）
４０  第２の弾性弁体
４１  筒状壁部
４１ａ  環状の切り欠き
４２  第２の弾性弁体のスリット（第２スリット）
４３  天壁部
５０  キャップ（ハウジングの一部）
５１  天面リング部（オスコネクタ接続部の一部）
５１ａ  天面リング部の開口（オスコネクタ接続部の開口）
５１ｂ  環状突起
５２  周壁部（オスコネクタ接続部の一部）
５３  外向きフランジ部
５３ａ  嵌合凸部
５４  位置決め片
６０  内挿体（ハウジングの一部）
６１  筒体部（オスコネクタ接続部の一部）
６１ａ  環状突起
６２  環状底面部
６２ａ  嵌合溝
６２ｂ  嵌合凸部
７０  ホルダ（ハウジングの一部）
７１  外周壁部
７１ａ  嵌合凹部
７２  嵌合溝
７３  医療器具接続部
７３ａ  筒体
７３ｂ  医療器具接続部の開口
７４  流路
７５  環状突起
Ｏ  軸線
Ｃ  オスコネクタ
ｇ  第２の弾性弁体の天壁部と環状突起との上下方向の間隔
【図１】
2015188663.tif 000003
【図２】
2015188663.tif 000004
【図３】
2015188663.tif 000005
【図４】
2015188663.tif 000006
【図５】
2015188663.tif 000007